(57)【要約】      （修正有）【課題】ガタ付き低減、コネクタ嵌合の安定化、挿入口の狭いコネクタ挿抜が容易かつ異音発生防ぐパネル開閉機構、このパネル開閉機構を用いた音響装置を提供すること。【解決手段】操作パネル１３０の開閉を行うパネル開閉機構１１であり、コネクタの一方側が本体部２０に取り付けられ、他方側が操作パネル１３０に取り付けられ、操作パネル１３０は第１の支持部材により回動自在に支持され、かつリリース部材により閉じ状態を維持し、該リリース部材の回動によりスライドが許容される。また、操作パネル１３０は、第２の支持部材により他端側をスライド自在に支持され、本体部２０から手前側に向かうスライドがガイドされる。さらに、操作パネル１３０は、係合部材により、スライド中において起立状態が維持され、所定位置までスライドした場合に、上述の起立状態が解除され傾倒を許容される。【選択図】図１
2006294647.tif 000002
【特許請求の範囲】
【請求項１】
操作パネルの回動により、本体部に対する該操作パネルの開閉を行うことが可能なパネル開閉機構において、
上記本体部に取り付けられているコネクタの一方側と、
上記操作パネルに取り付けられていると共に、上記コネクタの一方側との間で嵌合する上記コネクタの他方側と、
上記操作パネルの一端側を回動自在に支持する第１の支持部材と、
上記操作パネルの他端側をスライド自在に支持すると共に、この他端側が上記本体部から離間する手前側に向かうスライドをガイドする第２の支持部材と、
上記操作パネルの閉じ状態を維持すると共に、回動により上記操作パネルの手前側に向かうスライドを許容可能なリリース部材と、
上記第２の支持部材と共にスライド可能に設けられていて、上記操作パネルのスライド中には、該操作パネルの起立状態を維持すると共に、所定位置までスライドした場合に、上記操作パネルの起立状態を解除し傾倒を許容する係合部材と、
を具備することを特徴とするパネル開閉機構。
【請求項２】
前記操作パネルには、該操作パネルを手前側に向けて押し出すための押し出し部材が付勢されていることを特徴とする請求項１記載のパネル開閉機構。
【請求項３】
前記リリース部材は、前記本体部に対して固定的に設けられている支持軸を中心に回動自在に設けられていることを特徴とする請求項１または２記載のパネル開閉機構。
【請求項４】
前記第２の支持部材には、第１の付勢手段により手前側に向かう付勢力が与えられていることを特徴とする請求項１から３のいずれか１項に記載のパネル開閉機構。
【請求項５】
前記係合部材には、第１の係合部が設けられていて、前記操作パネルには、この第１の係合部と係合することにより該操作パネルの開放を阻止する第１の被係合部が設けられていると共に、
前記第２の支持部材と前記係合部材との間には、カム手段が存在していて、このカム手段の存在により、前記係合部材は、手前側にスライドするにつれて、上記第１の係合部が上記第１の被係合部に対する係合状態を解除する方向に回動させられ、前記操作パネルの傾倒を許容することを特徴とする請求項１から４のいずれか１項に記載のパネル開閉機構。
【請求項６】
前記カム手段は、前記リリース部材を回動自在に支持する支持軸と、前記係合部材に形成され該支持軸が挿通されるカム孔と、を有すると共に、
前記係合部材は、前記第２の支持部材に対して、回動軸を介して回動自在に取り付けられていることを特徴とする請求項５記載のパネル開閉機構。
【請求項７】
前記リリース部材には、第２の係合部が設けられていて、前記操作パネルには、この第２の係合部と係合することにより該操作パネルの開放を阻止する第２の被係合部が設けられていると共に、
前記リリース部材には、第２の付勢手段により、上記第２の係合部が上記第２の被係合部と係合させる向きに向かう付勢力が与えられていて、
前記押し出し部材には、上記第２の係合部の先端部分と干渉可能な突出部が設けられていて、該押し出し部材の押し出し動作に際して、上記突出部が上記第２の係合部に干渉し、上記第２の係合部と上記第２の被係合部との間の係合を解除させる向きに前記リリース部材を回動させる、
ことを特徴とする請求項１から６のいずれか１項に記載のパネル開閉機構。
【請求項８】
前記コネクタの一方側および他方側は、前記第１の支持部材よりも前記第２の支持部材に近接して設けられていることを特徴とする請求項１から７のいずれか１項に記載のパネル開閉機構。
【請求項９】
前記コネクタの一方側は、前記本体部の内部に設けられている回路基板に実装されていることを特徴とする請求項１から８のいずれか１項に記載のパネル開閉機構。
【請求項１０】
請求項１から９のいずれか１項に記載のパネル開閉機構を備えることを特徴とするパネル開閉機構を用いた音響装置。
【発明の詳細な説明】
【技術分野】
【０００１】
本発明は、パネル開閉機構およびこのパネル開閉機構を用いた音響装置に関する。
【背景技術】
【０００２】
カーオーディオのような音響装置の中には、可倒式の操作パネルを備えるタイプのものがある。このタイプの音響装置の構成の一例を、図２７に示す。音響装置１のマザー基板２上には、ドータ基板３が設けられていて、このドータ基板３には、コネクタ４のメス側４ａが実装されている。また、ドータ基板３に近接してサブパネル５が設けられていて、このサブパネル５からアーム部材６が手前側に向かって突出している。アーム部材６には、軸受６ａが設けられていて、この軸受６ａに操作パネル７の支持軸７ａが回転自在に取り付けられる。それにより、軸受６ａによって操作パネル７が回動自在に支持されている。
【０００３】
また、操作パネル７には、コネクタ４のオス側４ｂが取り付けられている。このオス側４ｂは、操作パネル７が閉じた状態においては、コネクタ４のメス側４ａに嵌まり込む。それにより、コネクタ４のメス側４ａとオス側４ｂとは、通電状態となる。また、図２８に示すように、操作パネル７が支持軸７ａを中心に回動して倒れると、その動作に伴なってコネクタ４のオス側４ｂがメス側４ａから抜ける。
【０００４】
なお、このような音響装置１に類似する、操作パネル７が倒れる構成の例としては、特許文献１および特許文献２に記載されているものがある。
【０００５】
【特許文献１】特開平９−３２１４４９号公報（段落番号００３６、図１、図２参照）
【特許文献２】特開平１０−１６６５４号公報（段落番号００２５、図４参照）
【発明の開示】
【発明が解決しようとする課題】
【０００６】
上述の音響装置１においては、次のような課題がある。すなわち、図２９に示すように、現状の音響装置１においては、支持軸７ａとオス側４ｂのＡ部分（図２９においてオス側４ｂの左側かつ上方側の部位）との間の縦方向（上下方向）の距離ａがさほど長くなく、また横方向の距離ｂがさほど短くない。そのため、操作パネル７が回動する場合、Ａ部分は、支持軸７ａに対する高さ位置が一度高くなるような軌跡を描く（図中の一点鎖線で示す軌跡）。そのため、当該Ａ部分がメス側４ａの内部にぶつからないように、メス側４ａの挿入口４ｃの寸法ｃを大きくして、メス側４ａ内部上方に空間を形成する必要がある。
【０００７】
しかしながら、メス側４ａの挿入口４ｃが広くなると、メス側４ａとオス側４ｂとの間の位置ずれが起こり易く、そのため位置ずれによる接点不良という問題が発生し易くなる。また、挿入口４ｃが広くなる場合、メス側４ａとオス側４ｂとを確実に接触させるために、板バネを用いることが多い。しかしながら、板バネを用いる構成の場合、操作パネル７には、その開閉時に常に約１ｋｇの負荷が掛かり、抜き差しが難しくなる。また、特に板バネを用いる構成においては、オス側４ｂの抜き差し時に異音が発生し、ユーザに対する製品イメージが悪化する（安っぽい等）、といった問題も発生している。
【０００８】
なお、かかる問題は、特許文献１に開示されている構成においても、同様に生じる。また、特許文献２に開示されている構成では、距離ａが、より短くなる方向に支持軸が回動する。このため、特許文献２においても、かかる問題が顕著に生じている。
【０００９】
ここで、本出願人は、特願２００４−４４８７５の出願を行い、かかる問題の解決を図るよう、努めている。この出願に開示されている発明によれば、上述の問題の解決を図ることが可能ではあるが、その解決のために用いる部品点数が多くなっている。すなわち、スライドアーム部材が前後方向にスライドし、操作パネルの片押し状態でのスライドを実現する動作と、操作パネルの傾倒を行う動作とが存在している。
【００１０】
これら２つの動作の動作ロックを行うために、サブパネルにレールガイド部を設けている。加えて、スライドアーム部材、リリースレバー、プッシュレバー、ロック部材等、多数の部材を設けている。しかも、特にリリースレバー、プッシュレバー等は、サブパネルに対して、スライドアーム部材を介在させた状態で間接的に取り付けられている。また、スライドアーム部材は、ロック部材を介して、サブパネルに対して間接的にロックされる状態となっている。このため、各部品のガタ付き（遊び）が累積することにより、全体として大きなガタ付き（遊び、いわゆるガチャつき等）が生じることがあり、ユーザに対して安っぽい等の印象を与える場合がある。
【００１１】
また、ガタ付きが累積して大きくなる場合、コネクタ４の嵌合も安定しなくなる。そのため、仮に上述の板バネを省く構成を採用すると、接触不良等が生じがちになる。
【００１２】
本発明は上記の事情にもとづきなされたもので、その目的とするところは、ガタ付きを低減させると共に、コネクタの嵌合を安定化させることが可能であり、かつ挿入口が狭いコネクタにおいても抜き差しが行い易く、異音等が生じないパネル開閉機構およびこのパネル開閉機構を用いた音響装置を提供しよう、とするものである。
【課題を解決するための手段】
【００１３】
上記課題を解決するために、本発明は、操作パネルの回動により、本体部に対する該操作パネルの開閉を行うことが可能なパネル開閉機構において、本体部に取り付けられているコネクタの一方側と、操作パネルに取り付けられていると共に、コネクタの一方側との間で嵌合するコネクタの他方側と、操作パネルの一端側を回動自在に支持する第１の支持部材と、操作パネルの他端側をスライド自在に支持すると共に、この他端側が本体部から離間する手前側に向かうスライドをガイドする第２の支持部材と、操作パネルの閉じ状態を維持すると共に、回動により操作パネルの手前側に向かうスライドを許容可能なリリース部材と、第２の支持部材と共にスライド可能に設けられていて、操作パネルのスライド中には、該操作パネルの起立状態を維持すると共に、所定位置までスライドした場合に、操作パネルの起立状態を解除し傾倒を許容する係合部材と、を具備するものである。
【００１４】
また、他の発明は、上述の発明に加えて更に、操作パネルには、該操作パネルを手前側に向けて押し出すための押し出し部材が付勢されるものである。
【００１５】
さらに、他の発明は、上述の各発明に加えて更に、リリース部材は、本体部に対して固定的に設けられている支持軸を中心に回動自在に設けられるものである。
【００１６】
また、他の発明は、上述の各発明に加えて更に、第２の支持部材には、第１の付勢手段により手前側に向かう付勢力が与えられるものである。
【００１７】
さらに、他の発明は、上述の各発明に加えて更に、係合部材には、第１の係合部が設けられていて、操作パネルには、この第１の係合部と係合することにより該操作パネルの開放を阻止する第１の被係合部が設けられていると共に、第２の支持部材と係合部材との間には、カム手段が存在していて、このカム手段の存在により、係合部材は、手前側にスライドするにつれて、第１の係合部が第１の被係合部に対する係合状態を解除する方向に回動させられ、操作パネルの傾倒を許容するものである。
【００１８】
また、他の発明は、上述の発明に加えて更に、カム手段は、リリース部材を回動自在に支持する支持軸と、係合部材に形成され該支持軸が挿通されるカム孔と、を有すると共に、係合部材は、第２の支持部材に対して、回動軸を介して回動自在に取り付けられているものである。
【００１９】
さらに、他の発明は、上述の各発明に加えて更に、リリース部材には、第２の係合部が設けられていて、操作パネルには、この第２の係合部と係合することにより該操作パネルの開放を阻止する第２の被係合部が設けられていると共に、リリース部材には、第２の付勢手段により、第２の係合部が第２の被係合部と係合させる向きに向かう付勢力が与えられていて、押し出し部材には、第２の係合部の先端部分と干渉可能な突出部が設けられていて、該押し出し部材の押し出し動作に際して、突出部が第２の係合部に干渉し、第２の係合部と第２の被係合部との間の係合を解除させる向きにリリース部材を回動させるものである。
【００２０】
また、他の発明は、上述の各発明に加えて更に、コネクタの一方側および他方側は、第１の支持部材よりも第２の支持部材に近接して設けられているものである。
【００２１】
さらに、他の発明は、上述の各発明に加えて更に、コネクタの一方側は、本体部の内部に設けられている回路基板に実装されているものである。
【００２２】
また、他の発明は、上述のパネル開閉機構に係る各発明を、音響装置に適用したものである。
【発明の効果】
【００２３】
本発明によると、操作パネルの開閉に伴ってコネクタの抜き差しが為される場合において、挿入口が狭いコネクタにおいても抜き差しが行い易くなる。また、コネクタの抜き差しに際して、異音等が生じるのを抑制することが可能となる。さらに、部材間のガタ付きを低減させることが可能となり、しかも、コネクタの嵌合を安定化させることが可能となる。
【発明を実施するための最良の形態】
【００２４】
以下、本発明の一実施の形態に係るパネル開閉機構およびこのパネル開閉機構を用いた音響装置について、図１から図２６に基づいて説明する。図１は、本発明の一実施の形態に係る音響装置１０のうち、パネル開閉機構１１に係る部分を示す分解斜視図である。また、図２は、パネル開閉ユニット５０とプッシュレバー１１０の配置関係を示す分解斜視図である。また、図３は、パネル開閉ユニット５０が組み立てられた状態を示すと共に、プッシュレバー１１０の配置関係を示す斜視図であり、図４は同じく正面図を示す。また、図５は、パネル開閉ユニット５０の側面図である。
【００２５】
なお、以下の説明においては、手前側とは、閉じ状態にある操作パネル１３０（図１等参照）が開く側（外部ケース２０から離間する側）を指し、奥側とはこれとは逆の閉じる側を指す。また、奥行き方向とは図１の矢示Ｙ方向を指し、上下方向（縦方向）とはマザー基板２１（図２１等参照）の法線方向（図１の矢示Ｚ方向）を指し、横方向とは閉じ状態にある操作パネル１３０の長手方向（図１の矢示Ｘ方向）を指す。また、サブパネル３０を例にとって説明すると、下側とは、サブパネル３０のうち後述するディスク挿入口３１からコネクタ挿通孔３２に向かう側を指し、上側とは、これとは逆側を指す。
【００２６】
図１に示すように、音響装置１０のパネル開閉機構１１は、外部ケース２０と、サブパネル３０と、パネル開閉ユニット５０と、プッシュレバー１１０と、固定アーム部材１２０（図２４参照）と、操作パネル１３０と、を主要な構成要素としている。これらのうち、パネル開閉ユニット５０は、図２に示すように、リリース部材６０と、スライドアーム７０と、スライダフック８０と、支持軸９０と、を構成要素としている。
【００２７】
外部ケース２０は、本体部に対応し、この外部ケース２０には、マザー基板２１（図２１他参照）が取り付けられている。マザー基板２１には、音響装置１０の制御回路（図示省略）が設けられている。制御回路は、後述する操作パネル１３０のボタン部からの信号を受信してディスク再生機構に駆動信号を送信したり、操作パネル１３０に設けられているディスプレイに対して、所定の文字／画像等を表示させるための表示信号を送信している。また、制御回路は、記録媒体の搬入／搬出を行うための駆動源の駆動を制御する制御信号を、当該駆動源に送信可能としている。
【００２８】
なお、マザー基板２１に設けられる制御回路が、所定の文字／画像等の表示を行わなくても良く、例えば後述するサブパネル３０に制御回路を設け、かかるサブパネル３０上の制御回路にて、所定の文字／画像等の表示を制御するようにしても良い。同様に、記録媒体の搬入／搬出を行わせるための制御回路を、マザー基板２１とは別途の基板に設けるようにしても良い。
【００２９】
図２１他に示すように、マザー基板２１の手前側の端部には、サブパネル３０が近接して配置されている。サブパネル３０は、外部ケース２０の手前側の開口部分を塞ぐように、該外部ケース２０に対して略垂直を為して取り付けられている。また、図１に示すように、サブパネル３０は、操作パネル１３０と対向する前面部３０ａと、操作パネル１３０の閉じ状態において該操作パネル１３０の側面と対向する側面部３０ｂと、を有している。
【００３０】
図１に示すように、サブパネル３０の前面部３０ａには、ディスク挿入口３１が設けられていて、該ディスク挿入口３１を介して、外部ケース２０の内部に記録媒体が挿入可能となっている。なお、ディスク挿入口３１は、１つであっても複数設けられていても良い。また、図１に示すように、前面部３０ａの所定部位には、コネクタ挿通孔３２が設けられている。コネクタ挿通孔３２は、サブパネル３０の長手方向において、後述するパネル開閉ユニット５０の方が、後述の固定アーム部材１２０よりも近くなるように設けられている（図２４等参照）。コネクタ挿通孔３２には、後述するコネクタ４０のメス側４０ａ（図２１他参照）が挿通される。
【００３１】
また、前面部３０ａにはユニット挿通孔３３が設けられている。ユニット挿通孔３３は、後述するパネル開閉ユニット５０およびプッシュレバー１１０を手前側に向かって突出させるための部位である。さらに、サブパネル３０の裏面側には、該サブパネル３０の下面から延伸する軸受部３４（図６参照）が設けられている。軸受部３４は、後述するプッシュレバー１１０を回動自在に軸支する部位である。なお、軸受部３４は、サブパネル３０の下面からではなく、サブパネル３０の裏面から延伸する構成としても良い。
【００３２】
また、図２１他に示すように、上述のマザー基板２１のうち、手前側の端部には、コネクタ４０のメス側４０ａ（コネクタ４０の一方側に対応）が実装されている。メス側４０ａは、マザー基板２１よりも手前側に向かって突出していて、その先端側は上述のコネクタ挿通孔３２に挿通されている。それにより、メス側４０ａの端面に存在する挿入口４１（図２２参照）は、サブパネル３０よりも手前側に位置している。なお、上述したコネクタ挿通孔３２と同様に、コネクタ４０のメス側４０ａは、サブパネル３０の長手方向において、後述するパネル開閉ユニット５０の方が、後述の固定アーム部材１２０よりも近くなるように設けられている。
【００３３】
また、図２〜図５等に示すように、パネル開閉ユニット５０は、リリース部材６０を具備している。リリース部材６０は、上方ロック部６１と、下方ロック部６２と、内方柱脚部６８と、外方柱脚部６９とを具備している。これらのうち、上方ロック部６１と下方ロック部６２とは、上下方向に所定の高さ寸法だけ離間している。しかしながら、上方ロック部６１と下方ロック部６２とは、上方から見た場合に、互いに重なるように設けられている。すなわち、上方ロック部６１と下方ロック部６２とは、上方から見た平面形状が同一となっている。
【００３４】
また、内方柱脚部６８と外方柱脚部６９は、上方ロック部６１と下方ロック部６２とを連結している。しかも、これら内方柱脚部６８と外方柱脚部６９とは、後述するスライドアーム７０およびスライダフック８０の側面に当接することにより、これらが奥側に位置するときに、時計回りに向かって回動するのを規制している。
【００３５】
なお、以下の説明においては、上方ロック部６１、下方ロック部６２、内方柱脚部６８および外方柱脚部６９で囲まれた部分を、アーム空間部Ｐと呼ぶ（図２参照）。
【００３６】
上方ロック部６１および下方ロック部６２は、上下方向に所定の厚みを有するロッド部６３を具備しており、このロッド部６３の手前側には、フック部６４が設けられている。フック部６４は、操作パネル１３０の閉じ状態を維持するための部分である。このフック部６４には、奥行き方向に対して傾斜しているテーパ面６４ａと、該テーパ面６４ａよりも奥側に位置する係止面６４ｂと、が設けられている。これらのうち、テーパ面６４ａは、奥行き方向に所定の角度だけ傾斜して設けられているが、上下方向には沿うように設けられている。このテーパ面６４ａの傾斜角度は、手前側かつ固定アーム部材１２０側を向くように設定されている。
【００３７】
また、係止面６４ｂは、奥行き方向に略垂直に設けられている。この係止面６４ｂは、後述するように、操作パネル１３０の係合部１３３に入り込んで、該係合部１３３の当接面１３２ａに当接する。それによって、操作パネル１３０の開放を阻止する。また、ロッド部６３の中途部分には、該ロッド部６３を上下方向に貫くように、挿通孔６５が設けられている。挿通孔６５には、支持軸９０が挿通され、この支持軸９０を支点として、リリース部材６０は回動可能に設けられている。なお、ロッド部６３の幅寸法が十分でないため、本実施の形態では、ロッド部６３のうち挿通孔６５が設けられている部分は、幅寸法が膨らむように設けられている。
【００３８】
なお、本実施の形態では、フック部６４は、第２の係合部に対応する。また、後述する係合部１３３は、第１の被係合部に対応すると共に、第２の被係合部にも対応する。
【００３９】
ここで、内方柱脚部６８と外方柱脚部６９とは、幅方向に所定の寸法だけ離間して設けられている。この寸法は、スライドアーム７０と、スライダフック８０との配置に対応させている。すなわち、上方ロック部６１と下方ロック部６２の間のアーム空間部Ｐには、スライダフック８０と、スライドアーム７０とが配置されるが、かかる配置に際して、スライダフック８０とスライドアーム７０の長手方向が奥行き方向と略一致するように、内方柱脚部６８と外方柱脚部６９とは、所定の寸法だけ離間した状態となっている。
【００４０】
なお、かかる寸法は、種々設定可能であるが、本実施の形態では、ロッド部６３の長手方向を奥行き方向に略一致させた場合、内方柱脚部６８と外方柱脚部６９との幅方向において離間している寸法は、スライダフック８０およびスライドアーム７０の幅寸法よりも大きく設けられている。かかる内方柱脚部６８および外方柱脚部６９の配置を実現するため、本実施の形態では、ロッド部６３の奥側の先端から内方側（固定アーム部材１２０側）に向かい内方突出部６６が設けられている。これと共に、ロッド部６３のうち手前側かつフック部６４よりも奥側の部位から外方側に向かい外方突出部６７が設けられている。また、内方柱脚部６８および外方柱脚部６９の存在により、スライドアーム７０およびスライダフック８０の回動範囲は、規制される状態となる。
【００４１】
また、アーム空間部Ｐのうち、下方側（図２の丸囲い文字Ｂの部位）には、第２の支持部材に対応するスライドアーム７０が配置される。スライドアーム７０は、奥行き方向に沿ってスライドすることが可能となっている。そのため、スライドアーム７０は、本実施の形態では、その長手がリリース部材６０の長手よりも長く設けられている。また、スライドアーム７０のうち、奥側から手前側寄りの所定位置までの部位には、幅広部７１が設けられていて、かかる幅広部７１に連続する状態で、幅広部７１よりも幅寸法の小さな幅狭部７２が手前側に向かって延伸している。これらのうち、幅広部７１の奥側の先端部分には、フック支持部７３が設けられている。フック支持部７３は、幅広部７１よりも上方に向かって突出して設けられている。そして、このフック支持部７３の上面では、スライダフック８０が載置可能に設けられている。
【００４２】
このフック支持部７３には、回動軸７４が設けられている。回動軸７４は、フック支持部７３の上面から上方側に向かって突出して設けられている。この回動軸７４は、後述するスライダフック８０の軸孔８３に挿通される。それによって、スライダフック８０は、スライドアーム７０に対して回動自在に設けられる。
【００４３】
また、スライドアーム７０の幅広部７１には、長孔７５が設けられている。長孔７５は、スライドアーム７０のスライド範囲を規定するための部分である。そのため、本実施の形態では、長孔７５は、操作パネル１３０が閉じ状態にあるときに、長孔７５の手前側の端部７５ａが該支持軸９０に当接すると共に、操作パネル１３０が手前側にスライドした状態、または開放して倒れた状態にあるときに、長孔７５の奥側の端部７５ｂが支持軸９０に当接する。なお、本実施の形態では、長孔７５は、幅広部７１のうち外側に片寄るように設けられている。
【００４４】
また、幅広部７１には、バネ係止部７６および三角突起７７が設けられている。バネ係止部７６は、後述するバネ１０１（図１４他参照）の一端側を掛け止めする部分である。そのため、バネ係止部７６は、幅広部７１の外側の側面からさらに外方に向かって突出していると共に、所定だけ突出した後に奥側に向かって折れ曲がっている。また、幅広部７１の外側の側面のうち、バネ係止部７６よりも手前側の部位には、三角突起７７が設けられている。三角突起７７は、上述したフック部６４と類似する部分であり、テーパ面７７ａと、係止面７７ｂとを具備している。
【００４５】
ここで、テーパ面７７ａおよび係止面７７ｂには、外方柱脚部６９が当接する。そのため、テーパ面７７ａは、フック部６４のテーパ面６４ａとは異なり、正面からみて内方側（固定アーム部材１２０側）ではなく外方側（固定アーム部材１２０が存在する側とは逆側）を向く状態で傾斜している。それによって、テーパ面７７ａが外方柱脚部６９に当接すると、支持軸９０を支点として、リリース部材６０を図８等に示すＲＡ方向に回動させることが可能となる。また、係止面７７ｂは、スライドアーム７０の戻り止めとして機能する。すなわち、スライドアーム７０が手前側に十分スライドし、支持軸９０が端部７５ｂに当接する状態で、操作パネル１３０が寝かされたまま奥側に向かう外力を受けると、スライドアーム７０も奥側に向かって進もうとする。しかしながら、係止面７７ｂが外方柱脚部６９に衝突し、係止される状態となることにより、スライドアーム７０が奥側に向かうのが規制される。それにより、操作パネル１３０が寝かされた状態で奥側に戻るのが防止される。
【００４６】
また、幅狭部７２は、幅広部７１よりもさらに手前側に向かって突出している。この幅狭部７２には、支持軸７８が設けられている。支持軸７８は、後述する操作パネル１３０の支持孔１３６（図２４等参照）に挿入される部分であり、そのため、この支持軸７８は、内側に向かって突出している。
【００４７】
また、アーム空間部Ｐのうち、スライドアーム７０の上方（図２の丸囲い文字Ａの部位）には、係合部材に対応するスライダフック８０が配置される。このスライダフック８０には、上述のスライドアーム７０と同様に、幅広部８１および幅狭部８２が設けられている。しかしながら、上述のスライドアーム７０のフック支持部７３のような、上方側に向かって突出する部分は設けられていない。幅広部８１のうち、奥側には、軸孔８３が設けられている。この軸孔８３は、上述の回動軸７４を挿通させるための部分である。それにより、スライダフック８０は、スライドアーム７０に対し、この軸孔８３を中心として回動する。
【００４８】
なお、スライドアーム７０とスライダフック８０の間には、不図示のスペーサが設けられている。このスペーサには、例えば貫通孔が設けられていて、この貫通孔を支持軸９０が挿通するように構成されている。それにより、フック支持部７３とスペーサとにより、スライダフック８０が支持される。しかしながら、他の部材をこれらの間に配置することで、スライドアーム７０に対してスライダフック８０を支持するように構成しても良い。
【００４９】
また、幅広部８１には、カム孔８４が設けられている。このカム孔８４は、上述のスライドアーム７０における長孔７５とは異なり、長手の中途部分から折れ曲がっている。また、カム孔８４には、長孔７５と同様に支持軸９０が挿通される。このカム孔８４は、手前側に位置する縦孔部８４ａと、縦孔部８４ａよりも奥側に位置し縦孔部８４ａに連続する曲折孔部８４ｂとを有している。縦孔部８４ａは、スライダフック８０の長手に沿うように設けられていると共に、上述の長孔７５と同様に、幅広部８１のうち外側（固定アーム部材１２０が存在する側とは逆側）に片寄るように設けられている。また、この縦孔部８４ａの長さ寸法は、長孔７５の略半分程度となっている。また、曲折孔部８４ｂは、縦孔部８４ａおよびスライダフック８０の長手方向に対して、奥側に向かうにつれて徐々に内側（固定アーム部材１２０側）に片寄るように、所定の角度だけ傾斜して設けられている。
【００５０】
なお、かかる縦孔部８４ａと曲折孔部８４ｂとから構成されるカム孔８４は、長手方向に沿う長さ寸法が、長孔７５と略同一となっている。また、カム孔８４が存在するスライダフック８０、回動軸７４と長孔７５が存在するスライドアーム７０、および支持軸９０によりカム手段が構成される。
【００５１】
かかるカム孔８４に支持軸９０が挿通された状態で、スライダフック８０が手前側に向かってスライドすると、縦孔部８４ａに支持軸９０が位置しているときは、スライダフック８０の長手が奥行き方向と略一致している。しかしながら、スライダフック８０がスライドして、曲折孔部８４ｂに支持軸９０が入り込み、その状態で手前側に向かうスライドが進行すると、スライダフック８０は、支持軸９０を支点として、図１３のＦＢ方向に回動される構成となっている。
【００５２】
また、スライダフック８０の幅狭部８２は、上述の幅狭部７２よりも幅広に設けられている。この幅狭部８２の手前側には、上述したリリース部材６０のフック部６４と同様なフック部８５が設けられている。すなわち、フック部８５は、テーパ面８５ａと、係止面８５ｂとを備えた構成となっている。なお、かかるフック部８５の構成は、上述したフック部６４と同様であるため、その詳細についての説明を省略する。また、フック部８５は、第１の係合部に対応する。
【００５３】
また、上述したリリース部材６０、スライドアーム７０およびスライダフック８０は、支持軸９０によって、全体的に回動自在に軸支されている。この支持軸９０は、その上下の両端側において、サブパネル３０または外部ケース２０（図４には、サブパネル３０に軸支される例を図示）に軸支される。そのため、支持軸９０は、操作パネル１３０のスライド／傾倒とは無関係に、奥行き方向へ移動しない状態となっている。なお、かかる支持軸９０の軸支を行うために、サブパネル３０または外部ケース２０には、支持軸９０の一端側（上端側）および他端側（下端側）を入り込ませるための、軸孔（図示省略）が設けられている。
【００５４】
また、支持軸９０の下端側には、他の部分よりも小径の止め輪嵌合部９１が設けられていて、この部分にＥ型止め輪９２（図２参照）が嵌合される。それにより、支持軸９０がサブパネル３０または外部ケース２０の軸孔から抜け落ちるのが防止される。
【００５５】
また、支持軸９０には、第２の付勢手段に対応するバネ１００（図２参照）が挿通されている。このバネ１００は、その一端側が外方柱脚部６９に当接している（図示省略）と共に、その他端側がサブパネル３０または外部ケース２０等の固定的な部位に取り付けられている（図示省略）。そして、バネ１００の一端側が外方柱脚部６９に当接し、その部位で付勢力が与えられることにより、リリース部材６０には、上方から見て反時計回り（図７における矢示ＲＢ方向）の付勢力が与えられる。また、上述したバネ係止部７６にも、第１の付勢手段としてのバネ１０１の一端側が掛け止めされる。このバネ１０１は、その他端側がサブパネル３０の裏面の掛け止め部３５（図１４等参照）に係止される。それにより、スライドアーム７０には、手前側に向かう付勢力が与えられる。
【００５６】
また、図１〜図３、図６等に示すように、パネル開閉ユニット５０に隣接する状態で、押し出し部材に対応するプッシュレバー１１０が配置されている。このプッシュレバー１１０は、長片１１１と、この長片１１１と略平行を為す状態で対向する短片１１２とを有しており、また、これら長片１１１と短片１１２とを連結する連結部１１３を具備している。それにより、プッシュレバー１１０は、その外観が数字の「７」に類似する形状に設けられている。なお、連結部１１３は、長片１１１と短片１１２のそれぞれ一端側（上端側）で、これらを連結している。
【００５７】
図６等に示すように、長片１１１の他端側（下端側）には、レバー軸１１４が設けられている。レバー軸１１４は、サブパネル３０の軸受部３４に回動自在に取り付けられる部分である。このレバー軸１１４が軸受部３４に取り付けられることにより、プッシュレバー１１０は、サブパネル３０に対して回動自在に軸支される。なお、レバー軸１１４は、プッシュレバー１１０のうち下方側でサブパネル３０に軸支される。
【００５８】
また、プッシュレバー１１０には、突出部１１５が設けられている。突出部１１５は、本実施の形態では、長片１１１の一端側（上端側）であって、連結部１１３に差し掛かる状態で設けられている。軸受部３４にプッシュレバー１１０が軸支されている場合、突出部１１５は、パネル開閉ユニット５０に向かって突出している。そして、このプッシュレバー１１０が回動すると、突出部１１５は、上方ロック部６１のフック部６４に当接する。すなわち、突出部１１５は、プッシュレバー１１０の回動に際して、フック部６４に衝突可能な位置に設けられている。
【００５９】
なお、突出部１１５のうち、手前側の部位には、手前側およびパネル開閉ユニット５０を向く状態で奥行き方向に対して傾斜しているテーパ面１１５ａが設けられている。それにより、操作パネル１３０の開放に際して、突出部１１５がフック部６４に衝突しても、このフック部６４を外方側に向けて滑らかに押しのける状態で、リリース部材６０を回動させることが可能となる。
【００６０】
また、プッシュレバー１１０は、不図示のバネ部材による付勢力を受けている。この付勢力により、短片１１２は、操作パネル１３０に対して、該操作パネル１３０を押し込む（倒す）向きに向かう付勢力を与えている。
【００６１】
図２４〜図２６に示すように、サブパネル３０の他方の端部側（図２４等において右側）には、第１の支持部材に対応する固定アーム部材１２０が設けられている。固定アーム部材１２０のうち、上述の支持軸７８（操作パネル１３０）と対向する側面には、上述と同様な支持軸１２１が設けられている。すなわち、操作パネル１３０は、これら２つの支持軸７８，１２１によって回動自在に支持される。
【００６２】
操作パネル１３０は、そのパネル面１３０ａに、各種操作ボタンおよびディスプレイ（共に図示省略）を有している。また、図１、図７〜図１３等に示すように、操作パネル１３０には、窪み部１３１が設けられている。窪み部１３１は、操作パネル１３０の裏面から手前側に向かうように窪んでいる。しかも、この窪み部１３１のうち、図７等において、操作パネル１３０の右側から左側に向かうように、フック係止部１３２が設けられている。
【００６３】
ここで、窪み部１３１の壁面１３１ａとフック係止部１３２とで囲まれた部分（以下、この部分を係合部１３３とする。）には、操作パネル１３０の閉じ状態の際に、フック部６４が入り込むことを可能としている。このとき、リリース部材６０には、バネ１００により反時計回り（図７におけるＲＢの向き）の付勢力が与えられ、かつ操作パネル１３０には、スライダフック８０を介して、バネ１０１により手前側（図１５におけるＢＡの向き）に向かう付勢力が与えられる。そのため、操作パネル１３０の閉じ状態においては、フック部６４の係止面６４ｂがフック係止部１３２の当接面１３２ａに対して、付勢力が与えられた状態で当接し、ガタ付きが抑えられる状態となる。
【００６４】
なお、本実施の形態では、係合部１３３は、上下方向に長く設けられていて、スライダフック８０のフック部８５も、上述のフック部６４と同様に、この係合部１３３に入り込むことを可能としている。また、操作パネル１３０のうち、スライドアーム７０に対応する部位には、係合部１３３が設けられていないものの、それよりも下方の、下方ロック部６２に対応する部位にも、係合部１３３が設けられている。かかる下方側の係合部１３３に下方ロック部６２のフック部６４を入り込ませることにより、スライドアーム７０がバネ１０１の付勢力によって手前側にスライドし、操作パネル１３０の下方のみが手前側にスライドして傾くのを防ぐことが可能となる。ここで、上方側の係合部１３３を長くせずに、フック部８５を入り込ませるだけの上下方向に短い孔形状を操作パネル１３０の裏面に形成し、そこからフック部８５を差し込むように構成しても良い。
【００６５】
また、操作パネル１３０の表面には、各種操作ボタンが存在しているが、その中の１つには、図１、図７等に示すリリーススイッチ１３４がある。リリーススイッチ１３４は、操作パネル１３０のうち、フック部６４を押し込むことが可能な部位に設けられている。リリーススイッチ１３４は、奥側に向かうピン部分１３４ａを具備している。このピン部分１３４ａの先端は、フック部６４のテーパ面６４ａを押し込むことが可能となっている。ピン部分１３４ａがテーパ面６４ａを押し込むと、リリース部材６０の時計回り（図８のＲＡ回り）に向かう回動が、バネ１００の付勢力に抗しながら実現され、フック部６４による、操作パネル１３０の閉じ状態の維持が解除される。それにより、バネ１０１の付勢力を受けて、スライドアーム７０が手前側に向かって突出し、操作パネル１３０の開き動作を実行することができる。
【００６６】
また、図２１〜図２３に示すように、操作パネル１３０は、その内部に回路基板１３５を有していて、当該回路基板１３５には光源等が実装されると共に、各種操作ボタンに対応したスイッチ（図示省略）が実装されている。また、回路基板１３５には、該光源を発光させるための光源用回路、および各種操作ボタンに対応した操作信号を制御回路に送信するためのボタン用回路が設けられている。また、図２４〜図２６に示すように、操作パネル１３０のうち、長手方向の一端及び他端に存在する両側面の下方側には、各１つずつの支持孔１３６が設けられている。各支持孔１３６は、上述の支持軸７８，１２１が夫々嵌まり込んで、操作パネル１３０を回動自在に軸支する部分である。
【００６７】
また、図２１〜図２６に示すように、操作パネル１３０の裏面側には、コネクタ４０のオス側４０ｂ（コネクタ４０の他方側に対応）が取り付けられていて、このオス側４０ｂは回路基板１３５に実装されている。コネクタ４０のオス側４０ｂは、上述したコネクタ４０のメス側４０ａへの嵌まり込みに対応した部位に設けられている。すなわち、コネクタ４０のオス側４０ｂは、操作パネル１３０の長手方向において、固定アーム部材１２０との距離よりもスライドアーム７０との距離の方が小さい位置に設けられている。
【００６８】
なお、操作パネル１３０は、例えば１ＤＩＮ、２ＤＩＮのサイズ等、横長のサイズとなっていて、該横長の長手の両端側に、それぞれスライドアーム７０および固定アーム部材１２０が配置される構成となっている。すなわち、操作パネル１３０の正面形状は、略長方形状（一側辺の方向が他側辺の方向よりも長い矩形状）となっていて、この長方形状の長手方向の両端側に、スライドアーム７０および固定アーム部材１２０が夫々取り付けられている。
【００６９】
以上のような構成を有するパネル開閉機構１１、およびこのパネル開閉機構１１を用いた音響装置１０の動作について、以下に説明する。
【００７０】
図７等に示すような、操作パネル１３０の閉じ状態において、ユーザがリリーススイッチ１３４を押下すると、操作パネル１３０の開き動作が開始される。この場合、ピン部分１３４ａがテーパ面６４ａに当接し、さらにピン部分１３４ａテーパ面６４ａを押し込む。すると、リリース部材６０は、図８に示すように、バネ１００の付勢力に抗しながら支持軸９０を中心として時計回り（ＲＡ回り）に向かって回動させられる。かかる回動が為されると、係止面６４ｂがフック係止部１３２と対向しなくなり、両者の係合状態が解除される。
【００７１】
ここで、スライドアーム７０は、バネ１０１により手前側に向かう付勢力を受けている。このため、上述の係合状態が解除されると、バネ１０１のバネ力により、スライドアーム７０は、手前側（図１５のＢＡの向き）に向かって押し出される。また、スライダフック８０は、回動軸７４を介してスライドアーム７０に取り付けられており、さらに操作パネル１３０は、支持軸７８を介してスライドアーム７０に回動自在に取り付けられている。このため、スライドアーム７０のスライドに伴なって、スライダフック８０および操作パネル１３０も手前側に向かってスライドする（図１２、図１５参照）。
【００７２】
なお、操作パネル１３０等が手前側に向かってスライドするにつれて、プッシュレバー１１０も不図示のバネ部材による付勢力を受けて図９、図１９等におけるＬＡの向きに回動する。この場合、図９に示すように、フック部６４の先端部分がテーパ面１１５ａに当接することにより、リリース部材６０は、時計回りに回動可能となっている。
【００７３】
ここで、スライダフック８０が手前側に向かってスライドする場合、縦孔部８４ａに支持軸９０が入り込んでいる状態では、フック部８５は係合部１３３に入り込んだままとなっている。このときのスライド動作を上方から見ると、図１１に示す状態から図１２に示す状態となり、側方から見ると、図１８に示す状態から図１９に示す状態となる。この状態では、操作パネル１３０が手前側に押されると共に、固定アーム部材１２０は飛び出さないため、操作パネル１３０は片押しされて、図２５に示すようにＸの向きに回転して、前面部３０ａに対して斜めに傾いた状態となる。このとき、コネクタ４０のオス側４０ｂは、コネクタ４０のメス側４０ａから抜き取られる。また、操作パネル１３０は、パネル面１３０ａが手前側に平行に押されるのみで、手前側に倒れていない。
【００７４】
ここで、図１０、図１３および図１６に示すように、スライドアーム７０およびスライダフック８０が手前側に向かってさらにスライドすると、支持軸９０は曲折孔部８４ｂに入り込む。そして、支持軸９０は、曲折孔部８４ｂの奥側に向かって進行する。ここで、スライドアーム７０は、バネ１０１により手前側（図１５に示すＢＡの向き）に向かって付勢されており、支持軸９０を中心として反時計回りの付勢力を受けているため、時計回りに向かって回動し難くなっている。しかも支持軸９０は、サブパネル３０に固定的に設けられている。そのため、回動軸７４と支持軸９０の幅方向（操作パネル１３０の長手方向）の寸法は、ほとんど変化しない。それにより、スライダフック８０は、曲折孔部８４ｂを奥側に進むにつれて、時計回り（図１３に示すＦＢの向き）に回動させられ、フック部８５が外側に向かって移動し、係合部１３３から徐々に離れる。
【００７５】
そして、フック部８５と係合部１３３との間の係止状態が解かれると、不図示のバネ部材により、プッシュレバー１１０は図１９および図２０において反時計回り（ＬＡの向き）に回動させられ、操作パネル１３０をＰＣの向きに押す。その結果、該操作パネル１３０は、そのパネル面１３０ａが隠れる状態で寝かされる（倒される）。以上のようにして、操作パネル１３０が記録媒体の挿入の邪魔とならない部位に位置し、ディスク挿入口３１（図１参照）が出現する。そして、ユーザは、このディスク挿入口３１から記録媒体を挿入したり、排出後の記録媒体を抜き取ったりすることが可能となる。
【００７６】
なお、操作パネル１３０が倒れている状態においては、三角突起７７の係止面７７ｂと外方柱脚部６９とが係合している（図１７参照）。そのため、操作パネル１３０が倒れている状態のままで、操作パネル１３０が奥側に向かって移動しないように構成されている。
【００７７】
また、ユーザが操作パネル１３０の閉じ動作を行う場合、ユーザは図１７、図２０、図２３および図２６に示される状態にある操作パネル１３０を手で把持して、該操作パネル１３０を指で持ち上げる。それにより、操作パネル１３０はＰＣの向きとは逆の向きに回動する。ここで、操作パネル１３０の閉じ動作を行うと、プッシュレバー１１０が操作パネル１３０によって押されて、図２０において反時計回りに回動させられる。かかる回動が進行すると、突出部１１５の隅角部Ｑ（図１０参照）がフック部６４のテーパ面６４ａに当接する。
【００７８】
この状態で、さらに操作パネル１３０を持ち上げると、リリース部材６０は、バネ１００の付勢力に抗しつつ、時計回り（ＲＡ回り）に回動させられる。それにより、三角突起７７の係止面７７ｂと外方柱脚部６９とが係止している状態が解除され、スライドアーム７０、操作パネル１３０等の奥側に向かう移動が可能となる。
【００７９】
さらに、ユーザが操作パネル１３０を図１９および図２０において時計回りに回動させると、フック係止部１３２の先端部分がテーパ面６４ａに当接する。さらに、操作パネル１３０を奥側に向かって押し込むと、フック係止部１３２の先端部分がテーパ面６４ａを押し込んで、リリース部材６０を時計回り（ＲＡ回り）に回動させ、フック部６４が係合部１３３に入り込む（図７等参照）。それにより、操作パネル１３０の手前側に向かうスライドがロックされ、操作パネル１３０の閉じ状態を維持可能となる。
【００８０】
ここで、図２４に示すように、操作パネル１３０が傾斜する前の閉じ状態においては、コネクタ４０のオス側４０ｂのうち、最も奥側かつ左側の側面部３０ｂに近接している部分（オス側４０ｂのＢ部分）と支持軸１２１との間には、サブパネル３０（閉じ状態にある操作パネル１３０）の長手方向に沿って、距離ｐが存在している。また、コネクタ４０のオス側４０ｂのＢ部分と支持軸１２１の間には、サブパネル３０の法線方向に沿って、距離ｑが存在している。この距離ｐ，ｑと、上述した従来例における、距離ａ，ｂ（図２９参照）との関係について述べる。
【００８１】
従来における距離ａは、操作パネル１３０の短手方向における距離ａであると共に、本実施の形態における距離ｐは、閉じ状態にある操作パネル１３０の長手方向における距離ｐである。また、図２４〜図２６に示されるように、コネクタ４０は、固定アーム部材１２０よりもスライドアーム７０に近接して設けられている。このため、例えばカーオーディオのような音響装置１０において、特に横方向に比較して縦方向（上下方向）の寸法の小さな１ＤＩＮ等のサイズの場合には、距離ｐの方が、距離ａよりも圧倒的に大きな値となる。また、２ＤＩＮのサイズにおいても、距離ｐが距離ａよりも大きいことは明らかである。
【００８２】
また、距離ｂと距離ｑについては、共に、サブパネル３０（操作パネル１３０）の法線方向のうち、支持軸１２１の中心部分からコネクタ４０のオス側４０ｂの奥側までの距離であり、両者の値は等しくなっている。そのため、Ｂ部分（図２４参照）が描く軌跡は、従来におけるＡ部分（図２９参照）が描く軌跡よりも、円弧の半径が大きい。すなわち、Ｂ部分は緩やかなカーブの、曲率の小さな円弧を描きつつ回動する。
【００８３】
このような構成のパネル開閉機構１１、およびこのパネル開閉機構１１を用いた音響装置１０によれば、スライドアーム７０等のスライドにより、コネクタ４０のメス側４０ａとオス側４０ｂとの間の嵌合が外れる。すなわち、図２４に示すように、Ｂ部分と支持軸１２１との間に距離ｐが存在し、この距離ｐは、従来の距離ａよりも大きくなる。特に、コネクタ４０は、固定アーム部材１２０よりも、パネル開閉ユニット５０等に近接して設けられていることにより、距離ｐは距離ａよりも大きくなる。このため、距離Ｂの回動により描く軌跡は、曲率の小さな緩やかなものとなる。それにより、Ｂ部分が、支持軸１２１から離間する方向に向かう移動距離を低減でき、当該Ｂ部分はコネクタ４０のメス側４０ａの内壁面と干渉するのを抑えることができる。
【００８４】
そのため、メス側４０ａの挿入口４１の寸法を大きくする必要がなくなり、当該挿入口４１の広い特殊なコネクタを用いずに済む。それにより、汎用の安価なコネクタ４０を用いることが可能となり、コストの削減を図ることが可能となる。
【００８５】
また、挿入口４１の広いコネクタ４０を用いる必要がなくなるため、挿入口４１の広いコネクタ４０を用いていた場合に生じる、オス側４０ｂの位置ずれが生じなくなる。それにより、位置ずれによる接点不良、といった問題も生じなくなる。さらに、挿入口４１の広いコネクタ４０を用いずに済みため、挿入口４１の広いコネクタ４０を用いる場合に必要となる、板バネを用いずに済む。それにより、操作パネル１３０の開閉時に負荷されていた、例えば１ｋｇ前後といった荷重が、操作パネル１３０に付与されずに済み、コネクタ４０の抜き差しがし易くなる。また、コネクタ４０の挿入口４１を狭くすることが可能となるため、コネクタ４０の小型化を図ることが可能となる。
【００８６】
また、荷重の負荷が大幅に軽減されるので、オス側４０ｂの抜き差し時に異音が生じなくなり、ユーザに対する製品イメージを向上させることが可能となる。すなわち、製品に対して高級感を持たせることが可能となる。
【００８７】
また、本実施の形態によれば、サブパネル３０にレールガイド部等を設ける必要がなくなり、しかも操作パネル１３０の戻り等を規制するためのロック部材も不要となる。そのため、操作パネル１３０の片押し状態でのスライドと、操作パネル１３０の傾倒との２つの動作を行う場合の、部品点数を少なくすることが可能となる。
【００８８】
さらに、本実施の形態のリリース部材６０は、支持軸９０により直接的にサブパネル３０等の固定部位に取り付けられている。このため、リリース部材６０が、他のアーム部材等を介して間接的に取り付けられる構成と比較して、該リリース部材６０のガタ付き（遊び）を低減することが可能となる。すなわち、間接的に取り付けられる構成と比較して、各部品のガタ付き（遊び、ガチャ付き）が累積されるのを防止することが可能となる。それにより、操作パネル１３０の閉じ状態におけるガタ付きを低減することができ、音響装置１０の品質を向上させることが可能となる。
【００８９】
また、本実施の形態では、操作パネル１３０と共にスライドする部品を、スライドアーム７０とスライダフック８０の２点に抑えている。それにより、操作パネル１３０のスライドに際して、多数の部品のスライドが伴なう構成と比較して、スライド動作が軽くなる。これと共に、各部品の遊びにより、スライドに際してそれぞれが衝突する（ガチャ付く）等によって引き起こされる不快な異音が生じるのを、極力抑えることが可能となる。
【００９０】
また、本実施の形態では、プッシュレバー１１０も、サブパネル３０に直接軸支されている。このため、サブパネル３０に対して間接的にプッシュレバー１１０が取り付けられる構成と比較して、該プッシュレバー１１０に生じるガタ付き（遊び）を低減することが可能となる。また、ガタ付き（遊び）を低減させることにより、コネクタ４０の嵌合も安定させることが可能となる。それにより、コネクタ４０において、接触不良が生じるのを低減させることが可能となる。
【００９１】
また、コネクタ４０のメス側４０ａが、マザー基板２１に実装されている。そのため、従来のように、メス側４０ａの実装のためのドータ基板が不要となる。それにより、部品点数およびコストを削減することが可能となる。
【００９２】
また、スライドアーム７０には、バネ１０１により手前側に向かう付勢力が与えられている。このため、ユーザがリリーススイッチ１３４を押下して、操作パネル１３０の閉じ状態が解除されると、操作パネル１３０を自動的にスライドさせることが可能となる。さらに、プッシュレバー１１０を設けているため、操作パネル１３０が十分にスライドした後に、該プッシュレバー１１０および不図示のバネ部材によって操作パネル１３０が倒される。すなわち、ユーザの手による操作によらずとも、自動的に操作パネル１３０を倒すことが可能となる。なお、スライドアーム７０、バネ１０１、プッシュレバー１１０および不図示のバネ部材により、操作パネル１３０の閉じ状態が解除されると、最初は操作パネル１３０の片押しでのスライド動作のみが為され、少し時間をおいて（時間差を有する状態で）操作パネル１３０を倒す動作が実現される。そのため、操作パネル１３０の動きに、高級感を奏させることが可能となる。
【００９３】
また、スライダフック８０には、フック部８５が設けられていて、このフック部８５は、操作パネル１３０の係合部１３３に入り込む。それにより、操作パネル１３０がスライドする場合でも、フック部８５が操作パネル１３０が倒れるのを防ぐため、操作パネル１３０の良好なスライド動作を実現することができる。
【００９４】
また、リリース部材６０には、バネ１００により反時計回り（図７におけるＲＢの向き）の付勢力が与えられ、かつ操作パネル１３０には、スライダフック８０を介して、バネ１０１により手前側（図１５におけるＢＡの向き）に向かう付勢力が与えられている。そのため、操作パネル１３０の閉じ状態においては、フック部６４の係止面６４ｂがフック係止部１３２の当接面１３２ａに対して、付勢力が与えられた状態で当接する。それによって、両者の間のガタ付きが抑えられ、操作パネル１３０の閉じ状態におけるガタ付き（ガチャ付き等）が生じるのを抑えることが可能となる。
【００９５】
また、スライドアーム７０とスライダフック８０、支持軸９０によりカム手段が構成されている。そのため、両者が共に手前側に向かってスライドすると、スライダフック８０を回動させることができ、フック部８５の係合部１３３に対する係止状態を解除することができる。それにより、スライドアーム７０、スライダフック８０および操作パネル１３０が十分にスライドした後に、操作パネル１３０を良好に倒すことが可能となる。
【００９６】
さらに、本実施の形態では、フック部６４が係合部１３３に入り込むことを可能としている。それにより、操作パネル１３０の閉じ状態を良好に維持可能となる。加えて、本実施の形態では、突出部１１５がフック部６４と干渉可能に設けられている。それにより、操作パネル１３０を手で把持して閉じ方向に回動させれば、フック部６４に突出部１１５を衝突させ、該フック部６４を図１０のＲＡ回りに回動させることが可能となる。そのため、外方柱脚部６９と係止面７７ｂとが係合している状態を解除することが可能となり、操作パネル１３０が倒れたまま奥側にスライドするのを規制する状態を解除して、操作パネル１３０を閉じる動作を行うことが可能となる。
【００９７】
以上、本発明の一実施の形態について説明したが、本発明はこれ以外にも種々変形可能となっている。以下、それについて述べる。
【００９８】
上述の実施の形態では、リリース部材６０側に凸状のフック部６４を設けると共に、操作パネル１３０側に凹状の係合部１３３を設けている。しかしながら、これらの間の凹凸関係を逆にしても良い。すなわち、リリース部材６０側に凹状の係合部を設け、操作パネル１３０側に凸状のフック部を設けるようにしても良い。同様に、スライダフック８０のフック部８５と係合部１３３との間の凹凸関係を逆にしても良く、スライダフック８０側に凹状の係合部を設け、操作パネル１３０側に凸状のフック部を設けるようにしても良い。
【００９９】
また、上述の実施の形態では、プッシュレバー１１０およびバネ部材を具備し、このプッシュレバー１１０とバネ部材により操作パネル１３０が倒れる動作を実現している。しかしながら、例えばフック部８５に、操作パネル１３０を押圧するバネ部材を設ける等すれば、操作パネル１３０が倒れる動作を実現可能となるため、かかるプッシュレバー１１０およびバネ部材を省略する構成を採用しても良い。また、ユーザ自身の操作により操作パネル１３０を倒す構成を採用する等すれば、フック部８５にバネ部材を設ける構成を省略することも可能となり、このような構成を採用しても良い。さらに、例えば、サブパネル３０の前面部３０ａにバネ機構を設け、かかるバネ機構によって操作パネル１３０に対して倒す方向に付勢力を与えても良い。
【０１００】
また、上述の実施の形態では、バネ１０１の付勢力により、操作パネル１３０が手前側に向かうスライドを実現しているが、かかるバネ１０１を省略する代わりに、別途、モータ等の駆動手段を設け、操作パネル１３０をモータ等の駆動手段で生じる駆動力でスライドさせるようにしても良い。
【０１０１】
また、上述の実施の形態では、コネクタ４０のメス側４０ａをマザー基板２１に実装すると共に、コネクタ４０のオス側４０ｂを操作パネル１３０の回路基板１３５に実装している。しかしながら、コネクタ４０のメス側４０ａとオス側４０ｂとの関係を逆にしても良い。すなわち、コネクタ４０のオス側４０ｂをコネクタ４０の一方側、コネクタ４０のメス側４０ａをコネクタ４０の他方側としても良い。
【０１０２】
また、上述の実施の形態では、本体部として外部ケース２０を用いると共に、操作パネル１３０を用いた場合について説明している。しかしながら、本体部としては、例えば外部ケース２０に対して移動するシャーシ部分等を用いても良い。また、操作パネル１３０に代えて、該操作パネル１３０以外のパネル部材、蓋部材等を用いるようにしても良い。また、緩衝部材を操作パネル１３０に取り付けて、該操作パネル１３０の増速を防ぐようにしても良い。
【０１０３】
また、上述の実施の形態では、第１の支持部材として固定アーム部材１２０、第２の支持部材としてスライドアーム７０を用いた場合について説明している。しかしながら、第１の支持部材としては、上述のスライドアーム７０と同様な、スライド可能なアーム部材としても良い。また、第２の支持部材としては、スライドするアーム部材以外の構成として、伸縮可能なアーム部材としても良い。
【０１０４】
また、上述の実施の形態では、支持軸９０を中心に回動するリリース部材６０を用いた場合について説明している。しかしながら、リリース部材６０以外のリリース部材を用いるようにしても良い。例えば図１の矢示Ｘ方向（幅方向）にスライド可能なリリース部材を設け、そのリリース部材の幅方向の動作により、操作パネル１３０の開閉を切り替えるようにしても良い。また、例えば、リリース部材６０の下方にピニオンギヤを取り付けると共に、それと対向するサブパネル３０または外部ケース２０の底面にラックギヤを取り付け、所定位置までスライドアーム７０が飛び出した場合にラックギヤとピニオンギヤが噛み合い、リリース部材６０が回動される構成を採用しても良い。
【０１０５】
また、上述の実施の形態では、パネル開閉機構１１が、音響装置１０に適用された場合について説明している。しかしながら、パネル開閉機構１１が用いられる装置は、音響装置１０には限られない。音響装置１０以外の装置としては、例えば、映像または映像および音楽等の再生を行う、ビデオ再生装置、ＤＶＤ再生装置、カーナビゲーション装置、パーソナルコンピュータ、電話／ファックス等の通信機器等があり、各種の電気機器に適用可能である。
【産業上の利用可能性】
【０１０６】
本発明の音響装置およびパネル開閉機構は、自動車用の音響装置関連の分野において利用することができる。また、パネル開閉機構は、各種電気機器の分野において利用することができる。
【図面の簡単な説明】
【０１０７】
【図１】本発明の一実施の形態に係る音響装置のうち、パネル開閉機構に係る部分を示す分解斜視図である。
【図２】図１の音響装置において、パネル開閉ユニットとプッシュレバーの配置関係を示す分解斜視図である。
【図３】図１の音響装置において、パネル開閉ユニットが組み立てられた状態を示すと共に、プッシュレバーの配置関係を示す斜視図である。
【図４】図１の音響装置において、パネル開閉ユニットが組み立てられた状態を示すと共に、プッシュレバーの配置関係を示す正面図である。
【図５】図１の音響装置において、パネル開閉ユニットを示す側面図である。
【図６】図１の音響装置において、プッシュレバーの形状を示すと共に、軸受部を示す斜視図である。
【図７】図１の音響装置において、リリース部材と操作パネルとの位置関係を示す平面断面図であり、操作パネルの閉じ状態を示す図である。
【図８】図１の音響装置において、リリース部材と操作パネルとの位置関係を示す平面断面図であり、リリーススイッチが押下された状態を示す図である。
【図９】図１の音響装置において、リリース部材と操作パネルとの位置関係を示す平面断面図であり、操作パネルが所定だけ片押しされた状態を示す図である。
【図１０】図１の音響装置において、リリース部材と操作パネルとの位置関係を示す平面断面図であり、操作パネルの押し戻しの際にフック部と突出部とが係合する状態を示す図である。
【図１１】図１の音響装置において、スライダフックと操作パネルとの位置関係を示す平面断面図であり、操作パネルの閉じ状態を示す図である。
【図１２】図１の音響装置において、スライダフックと操作パネルとの位置関係を示す平面断面図であり、操作パネルが所定だけ片押しされた状態を示す図である。
【図１３】図１の音響装置において、スライダフックと操作パネルとの位置関係を示す平面断面図であり、曲折孔部に支持軸が入り込んで、フック部と係合部との係合状態が解除された状態を示す図である。
【図１４】図１の音響装置において、スライドアームと操作パネルとの位置関係を示す平面断面図であり、操作パネルの閉じ状態を示す図である。
【図１５】図１の音響装置において、スライドアームと操作パネルとの位置関係を示す平面断面図であり、操作パネルが所定だけ片押しされた状態を示す図である。
【図１６】図１の音響装置において、スライドアームと操作パネルとの位置関係を示す平面断面図であり、スライドアームが十分にスライドされて、外方柱脚部に係止面が係止している状態を示す図である。
【図１７】図１の音響装置において、スライドアームと操作パネルとの位置関係を示す平面断面図であり、操作パネルが倒れた状態を示す図である。
【図１８】図１の音響装置において、操作パネルが閉じている状態を示す部分的な側面図である。
【図１９】図１の音響装置において、操作パネルの他端側が手前側に片押しされた状態を示す部分的な側面図である。
【図２０】図１の音響装置において、パネル面を隠すように操作パネルが倒れた状態を示す部分的な側面図である。
【図２１】図１の音響装置において、操作パネルが閉じている状態を示す側断面図である。
【図２２】図１の音響装置において、操作パネルの他端側が手前側に押し出され、操作パネルが回動した状態を示す側断面図である。
【図２３】図１の音響装置において、パネル面を隠すように操作パネルが倒れた状態を示す側断面図である。
【図２４】図１の音響装置において、操作パネルが閉じている状態を示す平面図であり、所定高さで切断した断面図である。
【図２５】図１の音響装置において、操作パネルの他端側が手前側に押し出されて回動した状態を示す平面図であり、所定高さで切断した断面図である。
【図２６】図１の音響装置において、パネル面を隠すように操作パネルが倒れた状態を示す平面図であり、所定高さで切断した断面図である。
【図２７】従来の音響装置のパネル開閉機構の構成を示す側断面図であり、操作パネルが閉じている状態を示す図である。
【図２８】図２７の音響装置において、操作パネルが回動している状態を示す側断面図である。
【図２９】図２７の音響装置において、コネクタのオス側のＡ部分と操作パネルの支持軸との間の距離の関係を示す側断面図である。
【符号の説明】
【０１０８】
１０…音響装置
１１…パネル開閉機構
２０…外部ケース（本体部に対応）
２１…マザー基板
３０…サブパネル
３３…ユニット挿通孔
４０…コネクタ
４０ａ…メス側（一方側に対応）
４０ｂ…オス側（他方側に対応）
５０…パネル開閉ユニット
６０…リリース部材
６４…フック部（第２の係合部に対応）
７０…スライドアーム（第２の支持部材に対応；カム手段の一部に対応）
７３…フック支持部
７４…回動軸
７５…長孔
８０…スライダフック（係合部材に対応；カム手段の一部に対応）
８４…カム孔
８５…フック部（第１の係合部に対応）
９０…支持軸（カム手段の一部に対応）
１００…バネ（第２の付勢手段に対応）
１０１…バネ（第１の付勢手段に対応）
１１０…プッシュレバー（押し出し部材に対応）
１２０…固定アーム部材（第１の支持部材に対応）
１３０…操作パネル
１３１…窪み部
１３２…フック係止部
１３３…係合部（第１の被係合部および第２の被係合部に対応）
１３４…リリーススイッチ
【図１】
2006294647.tif 000003
【図２】
2006294647.tif 000004
【図３】
2006294647.tif 000005
【図４】
2006294647.tif 000006
【図５】
2006294647.tif 000007
【図６】
2006294647.tif 000008
【図７】
2006294647.tif 000009
【図８】
2006294647.tif 000010
【図９】
2006294647.tif 000011
【図１０】
2006294647.tif 000012
【図１１】
2006294647.tif 000013
【図１２】
2006294647.tif 000014
【図１３】
2006294647.tif 000015
【図１４】
2006294647.tif 000016
【図１５】
2006294647.tif 000017
【図１６】
2006294647.tif 000018
【図１７】
2006294647.tif 000019
【図１８】
2006294647.tif 000020
【図１９】
2006294647.tif 000021
【図２０】
2006294647.tif 000022
【図２１】
2006294647.tif 000023
【図２２】
2006294647.tif 000024
【図２３】
2006294647.tif 000025
【図２４】
2006294647.tif 000026
【図２５】
2006294647.tif 000027
【図２６】
2006294647.tif 000028
【図２７】
2006294647.tif 000029
【図２８】
2006294647.tif 000030
【図２９】
2006294647.tif 000031